(57)【要約】      （修正有）【課題】ピックアップ部である変換部の構造が簡単で、かつ弦振動に伴う電気信号を正確に出力できる電子弦楽器を提供する。【解決手段】ギター本体１に設けられ、ギター本体１上に張設される複数の弦４の各一端部４ａが取り付けられるブリッジ本体１４と、このブリッジ本体１４上に複数の弦４それぞれに対応して配置され、かつ複数の弦４をそれぞれ支持する複数のブリッジ駒１５と、これら複数のブリッジ駒１５をそれぞれブリッジ本体１４上に変位可能に支持すると共に、複数の弦４の各振動に伴って複数のブリッジ駒１５に加わる圧力変化をそれぞれ電気信号に変換して出力する複数のピックアップ部２６とを備えている。従って、ピックアップ部２６に弦４が直接接触していないので、ピックアップ部２６の構造を簡素化できると共に、ピックアップ部２６によって弦振動に伴う電気信号を正確に出力でき、正確にかつ確実に楽音情報を検出して良好に演奏ができる。【選択図】図２
2014206663.tif 000002
【特許請求の範囲】
【請求項１】
楽器本体と、
この楽器本体上に張設される複数の弦と、
前記楽器本体上に設けられ、前記複数の弦の各一端部が取り付けられるブリッジ本体と、
このブリッジ本体上に前記複数の弦それぞれに対応して配置され、かつ前記複数の弦をそれぞれ支持する複数のブリッジ駒と、
前記複数のブリッジ駒をそれぞれ前記ブリッジ本体上に変位可能に支持すると共に、前記複数の弦の各振動に伴って前記複数のブリッジ駒に加わる圧力変化をそれぞれ電気信号に変換して出力する複数の変換部と、
を備えていることを特徴とする電子弦楽器。
【請求項２】
請求項１に記載の電子弦楽器において、前記複数の変換部は、前記複数の弦の弦高をそれぞれ調整する各一対の弦高調整ねじを有し、前記複数の弦の各振動に伴う圧力変化をそれぞれ電気信号に変換して検出する検出素子を形成する材料によって、前記弦高調整ねじの少なくとも一部がそれぞれ形成されていることを特徴とする電子弦楽器。
【請求項３】
請求項１または請求項２に記載の電子弦楽器において、前記複数の弦および前記ブリッジ駒はそれぞれ導電性を有し、前記複数の変換部部は、前記ブリッジ本体にそれぞれ設けられた複数の弦取付孔内にそれぞれ配置された複数の絶縁チューブと、これら複数の絶縁チューブ内に挿入された前記複数の弦それぞれと導通する複数の導電部と、これら複数の導電部にそれぞれ接続された複数の接続ケーブルと、を備えていることを特徴とする電子弦楽器。
【請求項４】
請求項２に記載の電子弦楽器において、前記複数の弦および前記複数のブリッジ駒はそれぞれ導電性を有し、前記複数の変換部は、前記ブリッジ本体と前記複数のブリッジ駒との間に配置された絶縁部材と、この絶縁部材上に配置されて前記一対の弦高調整ねじとそれぞれ導通する複数の導電板と、これら複数の導電板がそれぞれ接続されるコネクタ部と、このコネクタ部に接続された接続ケーブルと、を備えていることを特徴とする電子弦楽器。
【請求項５】
請求項２に記載の電子弦楽器において、前記複数の弦および前記複数のブリッジ駒はそれぞれ導電性を有し、前記複数の変換部は、前記ブリッジ本体と前記複数のブリッジ駒との間に配置された絶縁部材と、この絶縁部材上にそれぞれ配置されて前記一対の弦高調整ねじとそれぞれ個別に導通する各一対の導電板と、これら各一対の導電板がそれぞれ個別に接続されるコネクタ部と、このコネクタ部に接続された接続ケーブルと、を備えていることを特徴とする電子弦楽器。
【発明の詳細な説明】
【技術分野】
【０００１】
この発明は、ギター、マンドリン、ウクレレ、三味線などの電子弦楽器に関する。
【背景技術】
【０００２】
例えば、電子ギターにおいては、特許文献１に記載されているように、ギター本体が胴部とネックとで構成され、このギター本体の胴部にブリッジ本体が揺動自在に取り付けられ、このブリッジ本体上に複数の駒保持部が複数の弦に対応して取り付けられ、これら複数の駒保持部材に複数の駒本体がそれぞれ軸部材によって取り付けられ、ネックと胴部とに亘って張設される複数の弦の各一端部が複数の駒本体にそれぞれ取り付けられるように構成されたものが知られている。
【先行技術文献】
【特許文献】
【０００３】
【特許文献１】特開２０００−１３７４８８号公報
【０００４】
このような電子ギターは、複数の駒保持部材に複数のピックアップ部がそれぞれ設けられ、複数の弦が複数のピックアップ部にそれぞれ押し付けられた状態でネックと胴部とに亘って張設されている。この場合、ピックアップ部は、圧電素子などの検出素子を有するものであり、演奏時に弦が弾かれて振動すると、検出素子が弦振動に伴って伸縮変形することで電気信号を出力し、この電気信号に基づいて楽音を発生させるように構成される。
【発明の概要】
【発明が解決しようとする課題】
【０００５】
しかしながら、このような電子ギターでは、ピックアップ部に弦が直接押し付けられているため、ピックアップ部の検出素子が露出していると、弦をチューニングする際、または演奏時に弦を弾いた際に、弦が検出素子を擦るので、検出素子が損傷し易いという問題がある。
【０００６】
この発明が解決しようとする課題は、ピックアップ部である変換部の検出素子の損傷を防ぐことができると共に、構造が簡単で、組み付け作業も良く、弦振動に伴う電気信号を正確に出力することができる電子弦楽器を提供することである。
【課題を解決するための手段】
【０００７】
この発明は、楽器本体と、この楽器本体上に張設される複数の弦と、前記楽器本体上に設けられ、前記複数の弦の各一端部が取り付けられるブリッジ本体と、このブリッジ本体上に前記複数の弦それぞれに対応して配置され、かつ前記複数の弦をそれぞれ支持する複数のブリッジ駒と、これら複数のブリッジ駒をそれぞれ前記ブリッジ本体上に変位可能に支持すると共に、前記複数の弦の各振動に伴って前記複数のブリッジ駒に加わる圧力変化をそれぞれ電気信号に変換して出力する複数の変換部と、を備えていることを特徴とする電子弦楽器である。
【発明の効果】
【０００８】
この発明によれば、複数の変換部に複数の弦がそれぞれ直接接触していないので、検出素子の損傷を防止することができると共に、複数の変換部の構造を簡素化することができる。一方、これら複数の変換部で複数のブリッジ駒をブリッジ本体上に上下方向に変位可能に支持することができるので、複数の弦の弦高を調整することができる。このため、変換部が弦高調整機能をも備えていても、組み付け作業の簡素化を図ることができる共に、変換部によって弦振動に伴う電気信号を正確にかつ良好に出力することができる。
【図面の簡単な説明】
【０００９】
【図１】この発明を電子ギターに適用した第１実施形態を示した正面図である。
【図２】図１に示された電子ギターのブリッジ部を示した要部の拡大断面図である。
【図３】図２に示されたブリッジ部を分解して示した拡大断面図である。
【図４】図２に示されたブリッジ部のブリッジ駒および弦を示した拡大斜視図である。
【図５】図１に示された電子ギターの回路構成を示したブロック図である。
【図６】図４に示された電子ギターの第１実施形態における接続部の変形例を示した一部破断した拡大斜視図である。
【図７】この発明を電子ギターに適用した第２実施形態において、電子ギターのブリッジ部を示した拡大断面図である。
【図８】図７に示されたブリッジ部のブリッジ駒および弦を示した拡大斜視図である。
【図９】図７に示されたブリッジ部において、複数のブリッジ駒の一部を取り外して複数の導電板の一部を露呈させた状態を示した拡大平面図である。
【図１０】この発明を電子ギターに適用した第３実施形態において、電子ギターのブリッジ部におけるブリッジ駒および弦を示した拡大斜視図である。
【図１１】図１０に示されたブリッジ部において、複数のブリッジ駒の一部を取り外して複数の導電板の一部を露呈させた状態を示した拡大平面図である。
【図１２】この発明を適用した電子ギターにおけるピックアップ部の変形例を示した拡大断面図である。
【発明を実施するための形態】
【００１０】
（第１実施形態）
以下、図１〜図５を参照して、この発明を電子ギターに適用した第１実施形態について説明する。
この電子ギターは、図１に示すように、ギター本体１を備えている。このギター本体１は、胴部２とネック３とで構成されている。また、このギター本体１は、複数（この実施形態では６本の）の弦４が、胴部２およびネック３に亘って張り渡されるように構成されている。
【００１１】
この場合、胴部２のほぼ中央部には、図１に示すように、複数の弦４の各一端部４ａが取り付けられるブリッジ部５が設けられている。このブリッジ部５の近傍には、複数の弦４の各弦振動を電気信号として出力する電磁式のノーマルピックアップ部６が設けられている。また、胴部２には、電子回路部７および表示部８が設けられている。電子回路部７は、電子ギターに必要な各種の電子部品を備えている。表示部８は、電子ギターによる演奏に必要な各種の情報を表示するように構成されている。
【００１２】
一方、ネック３の先端部（図１では右端部）には、図１に示すように、弦支持部９を介してヘッド１０が設けられている。弦支持部９は、複数の弦４を等間隔で支持するように構成されている。ヘッド１０には、複数の弦４の各他端部４ｂがそれぞれ弦張調整可能に取り付けられる複数のペッグ１１が設けられている。これにより、複数の弦４は、胴部２のブリッジ部５とヘッド１０との間に張り渡されるように構成されている。これら複数の弦４は、それぞれ導電性を有する線材であり、電気抵抗をもって電流が流れるように構成されている。
【００１３】
また、ネック３には、図１に示すように、指板１２が胴部２とヘッド１０との間に設けられている。この指板１２は、木製または合成樹脂製の帯状板であり、複数の弦４の張り渡し方向、つまりネック３の長手方向に沿って複数（この実施形態では２２個）のフレット１３が所定間隔で設けられている。これら複数のフレット１３は、金属からなり、断面が半円弧状に形成されて、指板１２の上面に取り付けられ、この指板１２の上面に突出した円弧面である上面に複数の弦４がそれぞれ押し付けられるように構成されている。
【００１４】
ところで、複数の弦４の各一端部４ａ（図１では左端部）が取り付けられるブリッジ部５は、図１および図２に示すように、胴部２の中央部に設けられたブリッジ孔１４内に配置されるブリッジ本体１５と、このブリッジ本体１５上に複数の弦４それぞれに対応して配置された複数のブリッジ駒１６とを備えている。
【００１５】
ブリッジ本体１５は、図２および図３に示すように、金属製のブリッジブロック１７と金属製のブリッジベース１８とを有している。ブリッジブロック１７は、胴部２のブリッジ孔１４内に配置されて、胴部２から上方に突出するように構成されている。また、ブリッジベース１８は、胴部２から上方に突出したブリッジブロック１７上にビス１８ｂによって取り付けられている。
【００１６】
また、ブリッジ本体１５は、図２および図３に示すように、ブリッジブロック１７の下部にばね部材２０が取り付けられ、このばね部材２０のばね力によってネック３側（図２では左側）に向けて付勢された状態で、ブリッジベース１８の先端部１８ａつまりネック３側に位置する先端部１８ａが胴部２上に設けられたピン部材２１に押し当てられていることにより、胴部２のブリッジ孔１４内にブリッジブロック１７が浮いた状態で揺動可能に取り付けられている。
【００１７】
この場合、ブリッジ本体１５には、図１に示すように、トレモロアーム２２が取り付けられている。このトレモロアーム２２は、これを操作して、ブリッジ本体１５を弦４の張り渡し方向およびこれと直交する方向に揺動させることにより、複数の弦４の張力を変化させて、効果音を付加させるように構成されている。また、ブリッジ本体１５はグランド（基準電位）に接続されている。なお、胴部２の下部には、ブリッジ孔１４を塞ぐ裏蓋１４ａが取り付けられている。
【００１８】
一方、複数のブリッジ駒１６は、それぞれ導電性を有する金属板によって形成されている。これら複数のブリッジ駒１６は、図２および図３に示すように、それぞれ板状の駒本体２３と、この駒本体２３の前端部（図２では左端部）に設けられた山形状の弦支持部２４と、駒本体２３の後端部（図２では右端部）に設けられた板状の取付突起部２５とを備え、ブリッジベース１８上に配置されるように構成されている。
【００１９】
また、複数のブリッジ駒１６の各弦支持部２４には、図２および図３に示すように、変換部であるピックアップ部２６がそれぞれ設けられている。これら複数のピックアップ部２６は、複数のブリッジ駒１６をブリッジ本体１５上にそれぞれ上下方向に変位可能に支持すると共に、複数の弦４の各振動に伴って複数のブリッジ駒１６に加わる圧力変化をそれぞれ電気信号に変換して出力するように構成されている。
【００２０】
この場合、ピックアップ部２６は、図２および図３に示すように、複数の弦４の弦高をそれぞれ調整する一対の弦高調整ねじ２７を有している。これら一対の弦高調整ねじ２７は、複数の弦４の各振動に伴う圧力変化をそれぞれ電気信号に変換して出力する検出素子として形成されている。この場合、検出素子は、例えばセラミック構造のピエゾ素子であり、雄ねじ形状に形成されている。
【００２１】
すなわち、セラミック構造のピエゾ素子によって作られた弦高調整ねじ２７は、その材料が、例えばＰｂＯ、ＮｉＯ、Ｎｂ２Ｏ３、ＴｉＯ２、ＺｒＯ２などの金属酸化物の粉末を所定の割合で混合したピエゾ材料の粉末であり、このピエゾ材料の粉末を雄ねじの金型に充填して焼結処理した上、離型して後処理することによって形成されている。これにより、ピエゾ材料からなる弦高調整ねじ２７は、振動や圧力が加わると、歪が生じて内部に電位差が発生し、その表面から電位差に応じた電気信号を出力するように構成されている。
【００２２】
この場合、一対の弦高調整ねじ２７は、図２〜図４に示すように、弦４が弾かれた際に、その弾かれた方向に位置する一方の弦高調整ねじ２７と、これと反対方向に位置する他方の弦高調整ねじ２７とで、歪が異なる。すなわち、一方の弦高調整ねじ２７の圧力が大きいと、他方の弦高調整ねじ２７の圧力が小さくなる。このため、ピックアップ部２６は、一対の弦高調整ねじ２７の各内部にそれぞれ発生する電位差が異なり、この異なる２つの電位差が混合され、この混合された電位差を電気信号として出力するように構成されている。
【００２３】
また、一対の弦高調整ねじ２７は、図２および図３に示すように、ブリッジ駒１６の弦支持部２４の各ねじ孔２４ａにその上部から下部に突き抜けた状態でそれぞれ螺合している。これにより、一対の弦高調整ねじ２７は、これらを回して各弦高調整ねじ２７の各下端部をブリッジ駒１６の下側に出没させてブリッジベース１８上に押し当てることにより、ブリッジベース１８上においてブリッジ駒１６を上下に変位させて弦４の弦高を調整するように構成されている。
【００２４】
また、これら一対の弦高調整ねじ２７は、図２および図３に示すように、ブリッジ駒１６の弦支持部２４の各ねじ孔２４ａに螺合していることにより、振動や圧力が加わって内部に電位差が発生した際に、ブリッジ駒１６側が一方の電極（出力電極）となり、また各弦高調整ねじ２７の各下端部がブリッジベース１８上に押し当てられていることにより、ブリッジベース１８側が他方の電極（グランド電極）となるように構成されている。
【００２５】
また、ブリッジ駒１６の取付突起部２５には、図２および図３に示すように、オクターブ調整ねじ２８が取り付けられている。このオクターブ調整ねじ２８は、絶縁性を有する合成樹脂によって形成され、その先端側のねじ部２８ｂがブリッジベース１８の取付部２９に設けられた挿入孔２９ａを通して、ブリッジ駒１６の取付突起部２５に設けられたねじ孔２５ａに螺合している。
【００２６】
このオクターブ調整ねじ２８の外周には、図２に示すように、絶縁性を有する合成樹脂製のコイルばね３０が、ブリッジ駒１６の取付突起部２５とブリッジベース１８の取付部２９との間に位置して設けられている。このコイルばね３０は、ブリッジ駒１６の取付突起部２５を前側（図２では左側）に向けて押し出す方向に付勢することにより、オクターブ調整ねじ２８の頭部２８ａをブリッジベース１８の取付部２９の外面（図２では右側）に押し付けるように構成されている。
【００２７】
このため、ブリッジ駒１６の取付突起部２５とブリッジベース１８の取付部２９とは、図２に示すように、コイルばね３０のばね力によって互いに離れる方向に付勢されるように構成されている。これにより、ブリッジ駒１６は、一対の弦高調整ねじ２７とオクターブ調整ねじ２８とによって、ブリッジベース１８の上方に浮いた状態で配置されるように構成されている。
【００２８】
この状態で、オクターブ調整ねじ２８は、図２に示すように、これを回すと、頭部２８ａがブリッジベース１８の取付部２９に当接した状態で回転すると共に、先端側のねじ部２８ｂがブリッジ駒１６の取付突起部２５のねじ孔２５ａ内を回転しながら螺旋移動することにより、ブリッジ駒１６をブリッジベース１８の前後方向（図２では左右方向）に移動させるように構成されている。
【００２９】
すなわち、オクターブ調整ねじ２８は、図２に示すように、これを回してブリッジ駒１６の取付突起部２５を前側（図２では左側）に向けて押し出す際に、コイルばね３０のばね力によってブリッジ駒１６が前側に移動して弦４のオクターブを下げる方向に調整するように構成されている。
【００３０】
また、このオクターブ調整ねじ２８は、図２に示すように、これを回してブリッジ駒１６の取付突起部２５をコイルばね３０のばね力に抗して後側（図２では右側）に向けて引き寄せると、ブリッジ駒１６が後側に移動して弦４のオクターブを上げる方向に調整するように構成されている。
【００３１】
ところで、複数の弦４は、図２および図３に示すように、その各一端部４ａがブリッジ駒１６の駒本体２３の弦挿入孔２３ａ、およびブリッジベース１８の弦挿入孔１８ｃを通して、ブリッジブロック１７の弦取付孔３１内にそれぞれ挿入された状態で、取り付けられるように構成されている。
【００３２】
この場合、複数の弦４の各一端部４ａには、図２〜図４に示すように、導電性を有するエンドボール３２がそれぞれ取り付けられている。また、複数の弦４の各一端部４ａは、絶縁チューブ３３を介してブリッジブロック１７の弦取付孔３１内にそれぞれ挿入されていることにより、ブリッジブロック１７およびブリッジベース１８に接触して導通しないように構成されている。
【００３３】
この場合、ブリッジブロック１７の弦取付孔３１は、図２および図３に示すように、上部が小径孔３１ａに形成され、下部が大径孔３１に形成され、中間部が中径孔３１ｃに形成され、小径孔３１ａと中径孔３１ｃとの境に小径テーパ部３１ｄがくびれた状態で形成され、中径孔３１ｃと大径孔３１ｂとの境に大径テーパ部３１ｅがくびれた状態で形成されている。
【００３４】
絶縁チューブ３３は、塩化ビニル樹脂（ＰＶＣ）などの絶縁性を有する合成樹脂で形成されている。この絶縁チューブ３３は、図２〜図４に示すように、ブリッジブロック１７の弦取付孔３１と同様、弦４が挿入する小径孔部３３ａと、エンドボール３２が挿入する大径孔部３３ｂと、その中間に位置する中径孔部３３ｃとを有し、小径孔部３３ａと中径孔部３３ｃとの境に小径テーパ部３３ｄがくびれた状態で形成され、中径孔部３３ｃと大径孔部３３ｂとの境に大径テーパ部３３ｅがくびれた状態で形成されている。
【００３５】
これにより、絶縁チューブ３３は、図２〜図４に示すように、大径孔部３３ｂがブリッジブロック１７の弦取付孔３１の大径孔３１ｂ内に挿入されて、大径テーパ部３３ｅが弦取付孔３１の大径テーパ部３１ｅに当接し、中径孔部３３ｃが弦取付孔３１の中径孔３１ｃ内に挿入されて、小径テーパ部３３ｄが弦取付孔３１の小径テーパー部３１ｄに当接した状態で、小径孔部３３ａが弦取付孔３１の小径孔３１ａおよびブリッジベース１８の弦挿入孔１８ｃに挿入されるように構成されている。
【００３６】
また、この絶縁チューブ３３の内部には、図２〜図４に示すように、導電チューブ３４が設けられている。この導電チューブ３４は、弦４の一端部４ａが挿入する弦挿入部３４ａと、この弦挿入部３４ａの下端部に設けられた広口のテーパ部３４ｂとを有し、弦挿入部３４ａが絶縁チューブ３３の中径孔部３３ｃに挿入し、広口のテーパ部３４ｂが絶縁チューブ３３の大径テーパ部３３ｅに当接した状態で、絶縁チューブ３３内に配置されるように構成されている。
【００３７】
これにより、導電チューブ３４は、図２〜図４に示すように、絶縁チューブ３３内に配置された状態で、絶縁チューブ３３の大径孔部３３ｂ内にエンドボール３２が挿入されると、このエンドボール３２が導電チューブ３４のテーパ部３４ｂに当接することにより、エンドボール３２と導通するように構成されている。
【００３８】
さらに、この導電チューブ３４は、図２〜図４に示すように、その下端部に接続ケーブル３５が半田またはカシメによって接合され、この接続ケーブル３５によって電子回路部７と電気的に接続されている。これにより、複数の弦４は、それぞれ各一対の弦高調整ねじ２７で発生した電位差によって、各ブリッジ駒１６を介して電流が流れ、この電流が各エンドボール３２および各導電チューブ３４を介して各接続ケーブル３５にそれぞれ流れるように構成されている。
【００３９】
この場合、複数の弦４は、図２〜図４に示すように、絶縁チューブ３３によってブリッジ部５のブリッジ本体１５に接触することがなく、ブリッジブロック１７の弦取付孔３１、ブリッジベース１８の弦挿入孔１８ｃ、およびブリッジ駒１６の駒本体２３の弦挿入孔２３ａを通り、ブリッジ駒１６の弦支持部２４上に押し付けられた状態で、相互に導通することなく、張り渡されるように構成されている。
【００４０】
次に、図５に示されたブロック図を参照して、この電子ギターの回路構成について説明する。
この電子ギターの回路構成は、回路全般を制御するＣＰＵ（中央演算処理装置）４０と、予め定められたプログラムおよび入力されたデータを格納するメモリ部４１と、音量、音色、モード切替などの各種スイッチを備えた操作スイッチ部４２と、複数の弦４の弾弦操作による弦振動を楽音情報として検出する楽音検出部４３とを備えている。
【００４１】
楽音検出部４３は、電磁式のノーマルピックアップ部６とピエゾ素子のピックアップ部２６とを有している。ノーマルピックアップ部６は、複数の弦４が弾かれた際に、これら弦４の振動を実際の楽音として検出する。また、ピエゾ素子のピックアップ部２６は、複数の弦４の各弦振動に応じた圧力変化を楽音情報として検出する。
【００４２】
ＣＰＵ４０は、ノーマルピックアップ部６からの弦振動に基づいて楽音の発音タイミングおよび発音されている楽音の音高を制御する。また、ＣＰＵ４０は、ピエゾ素子のピックアップ部２６からの各弦振動による圧力変化に基づいて発音されている楽音の音高や音質を制御する。
【００４３】
また、この電子ギターの回路構成は、ＣＰＵ４０からの指令に基づいて各種の情報を表示する表示部８と、ＣＰＵ４０からの音高、音質および発音タイミングの指令に基づいて楽音データを生成する音源部４４と、この音源部４４で生成された楽音データに対してエフェクトを付加するエフェクト部４５と、このエフェクト部４５でエフェクトの付加された楽音データをアナログ信号に変換してオーディオ機器に出力するＤ／Ａ変換部４６と、ＣＰＵ４０からの指令に基づいて外部機器との間でデータの授受を行うインターフェイス（Ｉ／Ｆ）４７とを備えている。
【００４４】
次に、このような電子ギターの作用について説明する。
この電子ギターで演奏する際には、アコースティックギターと同様、ネック３の指板１２に張設された複数の弦４を指で押えて複数のフレット１３のいずれかに押し付けながら、このフレット１３に対応する弦４を弾く。
【００４５】
このときには、楽音検出部４３のノーマルピックアップ部６によって複数の弦４の弦振動が検出されると共に、楽音検出部４３のピエゾ素子のピックアップ部２６によって押弦された複数の弦４の各振動による圧力変化がそれぞれ楽音情報として検出され、これらに基づいて楽音が発生される。
【００４６】
すなわち、ノーマルピックアップ部６は、フレット１３に押し付けられた複数の弦４がそれぞれ弾かれると、これらの弦４全体の振動を検出する。ピエゾ素子のピックアップ部２６は、フレット１３に押し付けられた複数の弦４がそれぞれ弾かれると、各一対の弦高調整ねじ２７が各弦４の各振動に伴う圧力変化をそれぞれ電気信号に変換して出力する。
【００４７】
このときには、一対の弦高調整ねじ２７のうち、弦４が弾かれた方向に位置する一方の弦高調整ねじ２７と、これと反対方向に位置する他方の弦高調整ねじ２７とで、歪が異なる。このため、ピックアップ部２６は、一対の弦高調整ねじ２７の各内部にそれぞれ発生する電位差が異なり、この異なる２つの電位差が混合され、この混合された電位差を楽音情報として出力する。
【００４８】
そして、ノーマルピックアップ部６によって検出された楽音の音高および発音開始情報と、ピエゾ素子のピックアップ部２６によって検出された各弦振動による各弦４ごとの楽音情報とによって、ＣＰＵ４０が音源部４４に指令を与えて音源データを生成させ、この音源データに基づいてエフェクト部４５で楽音データを生成させてオーディオ機器に出力し、楽音を発生させる。このときには、一対の弦高調整ねじ２７でそれぞれ異なる電位差が混合された電気信号がピックアップ部２６から出力されるので、出力信号が豊かになり、ギターのハーフトーンのような効果が得られる。
【００４９】
また、弦４に触れないように、ブリッジ駒１６の上に演奏者が手を置くようにすれば、一対の弦高調整ねじ２７が弦振動を拾いながらブリッジ駒１６の沈む方向のＤＣ信号を出力する。このため、弦振動による波形信号を音響用とし、ＤＣ信号を制御として用いることができる。これにより、ブリッジ駒１６に圧力を加えてリバーブ成分を増やしたり、フィルタのカットオフを変更したり、あるいはギターシンセサイザであれば音源のエンベロープを変更したりすることで、従来では考えられないギターの演奏が実現できる。
【００５０】
このように、この電子ギターによれば、ギター本体１上に張設される導電性を有する複数の弦４と、ギター本体１の胴部２に揺動自在に設けられ、複数の弦４の各一端部４ａが取り付けられるブリッジ本体１４と、このブリッジ本体１４上に複数の弦４それぞれに対応して配置され、かつ複数の弦４をそれぞれ支持する複数のブリッジ駒１５と、これら複数のブリッジ駒１５をそれぞれブリッジ本体１４上に上下方向に変位可能に支持すると共に、複数の弦４の各振動に伴う圧力変化をそれぞれ電気信号に変換して出力する複数のピックアップ部２６とを備えているので、これらピックアップ部２６の構造を簡素化し、組付け作業性も良く、かつ弦振動に伴う電気信号を正確に出力することができる。
【００５１】
すなわち、この電子ギターでは、複数のピックアップ部２６に複数の弦４がそれぞれ直接接触していないので、複数のピックアップ部２６の構造を簡素化することができると共に、これら複数のピックアップ部２６で複数のブリッジ駒１５をブリッジ本体１４上に上下方向に変位可能に支持することができるので、複数の弦４の弦高を調整することができる。このため、ピックアップ部２６が弦高調整機能をも備えていても、組み付け作業の簡素化を図ることができる共に、ピックアップ部２６によって弦振動に伴う電気信号を正確にかつ良好に出力することができるので、楽音情報を正確にかつ確実に検出して良好に演奏することができる。
【００５２】
この場合、複数のピックアップ部２６は、複数の弦４の弦高をそれぞれ調整する各一対の弦高調整ねじ２７を有し、複数の弦４の各振動に伴う圧力変化をそれぞれ電気信号に変換して出力するピエゾ素子などの検出素子を形成する材料によってそれぞれ構成されていることにより、一対の弦高調整ねじ２７自体をピエゾ素子などの検出素子として機能させることができ、これにより複数のピックアップ部２６の構造を簡素化することができると共に、組み付け作業を簡素化することができる。
【００５３】
すなわち、一対の弦高調整ねじ２７は、例えばセラミック構造のピエゾ素子によって雄ねじ形状に形成する際に、ＰｂＯ、ＮｉＯ、Ｎｂ２Ｏ３、ＴｉＯ２、ＺｒＯ２などの金属酸化物の粉末を所定の割合で混合したピエゾ材料の粉末を雄ねじの金型に充填して焼結処理した上、離型して後処理することによって、簡単にかつ容易に製作することができ、これによりピエゾ材料からなる弦高調整ねじ２７に振動や圧力が加わると、歪が生じて内部に電位差が発生し、その表面から電位差に応じた電気信号を出力することができる。
【００５４】
この場合、一対の弦高調整ねじ２７は、ブリッジ駒１６の弦支持部２４の各ねじ孔２４ａにその上部から下部に突き抜けた状態でそれぞれ螺合していることにより、ブリッジ駒１５に対する取付作業を簡素化することができる。これにより、一対の弦高調整ねじ２７は、これらを回して各弦高調整ねじ２７の各下端部をブリッジ駒１６の下側に出没させてブリッジベース１８上に押し当てることにより、ブリッジベース１８上においてブリッジ駒１６を上下に変位させて弦４の弦高を容易に調整することができる。
【００５５】
このため、これら一対の弦高調整ねじ２７は、弦４の振動に伴う圧力変化に応じて内部に電位差が生じ、この電位差が楽音情報として出力される際に、ブリッジ駒１６の弦支持部２４の各ねじ孔２４ａに螺合していることにより、ブリッジ駒１６側が一方の電極（出力電極）となり、また各弦高調整ねじ２７の各下端部がブリッジベース１８上に押し当てられていることにより、ブリッジベース１８側が他方の電極（グランド電極）となる構成であるから、一対の弦高調整ねじ２７で発生した電気信号を容易にかつ正確に取り出すことができる。
【００５６】
この場合、複数の弦４および複数のブリッジ駒１５は、導電性を有する金属によって形成され、複数のピックアップ部２６は、ブリッジ本体１４にそれぞれ設けられた複数の弦取付孔３１内にそれぞれ配置された複数の絶縁チューブ３３と、これら複数の絶縁チューブ３３内に挿入された複数の弦４それぞれと導通する複数の導電チューブ３４と、これら複数の導電チューブ３４にそれぞれ接続された複数の接続ケーブル３５と、を備えているので、複数の弦４の各振動に伴う圧力変化に応じて各一対の弦高調整ねじ２７にそれぞれ生じた各電位差を楽音情報として正確にかつ確実に取り出すことができる。
【００５７】
すなわち、この電子ギターでは、複数の弦４の各振動に伴う圧力変化に応じて各一対の弦高調整ねじ２７にそれぞれ生じた各電位差による電流が、各ブリッジ駒１６を介して各弦４に流れ、これら各弦４に流れた電流が、各弦４の各一端部４ａに取り付けられた各エンドボール３２および各導電チューブ３４を介して各接続ケーブル３５にそれぞれ流れるので、複数の弦４の各振動に伴う圧力変化に応じて各一対の弦高調整ねじ２７にそれぞれ生じた各電位差を楽音情報として正確にかつ確実に取り出すことができる。
【００５８】
この場合、一対の弦高調整ねじ２７は、弦４が弾かれた際に、その弾かれた方向に位置する一方の弦高調整ねじ２７と、これと反対方向に位置する他方の弦高調整ねじ２７とで、歪が異なり、各弦高調整ねじ２７の内部にそれぞれ発生する電位差が異なるため、この異なる２つの電位差が混合され、この混合された電位差が電気信号として出力されるので、この出力信号によって正確にかつ確実に楽音情報を検出して良好に演奏ができるほか、出力信号が豊富になり、ギターのハーフトーンのような効果を得ることができる。
【００５９】
なお、上述した第１実施形態では、絶縁チューブ３３内に導電チューブ３４を挿入し、この導電チューブ３４に弦４のエンドボール３２を接触させて導通させた場合について述べたが、これに限らず、例えば図６に示す変形例のように、絶縁チューブ３３の内面に導電層５０を設け、この導電層５０にエンドボール３２を当接させて導通させ、かつこの導電層５０を挟んで絶縁チューブ３３の下端部に接続クリップ５１を取り付け、この接続クリップ５１に接続ケーブル３５を接続した構成であっても良い。
【００６０】
このように構成しても、絶縁チューブ３３の内面に設けられた導電層５０に弦４のエンドボール３２を接触させて導通させることができるので、この導電層５０および接続ケーブル３５によってピックアップ部２６で発生した電位差を電気信号として取り出すことができ、これによりピックアップ部２６によって弦４の各振動に伴う圧力変化に応じた電気信号を楽音情報として確実に取り出すことができる。
【００６１】
（第２実施形態）
次に、図７〜図９を参照して、この発明を電子ギターに適用した第２実施形態について説明する。なお、図１〜図５に示された第１実施形態と同一部分には同一符号を付して説明する。
この電子ギターは、図７および図８に示すように、ブリッジ部５のブリッジ本体１４と複数のブリッジ駒１５との間に配置された絶縁板５５と、この絶縁板５５上に複数のブリッジ駒１５それぞれと対応して配置された複数の導電板５６とを備えた構成であり、これ以外は第１実施形態とほぼ同じ構成になっている。
【００６２】
すなわち、絶縁板５５は、合成樹脂からなり、図７〜図９に示すように、ブリッジベース１８の上面にそのほぼ全域に亘って配置されている。この絶縁板５５には、複数の弦挿入孔５５ａがブリッジベース１８の弦挿入孔１８ｃにそれぞれ対応して設けられている。また、複数の導電板５６は、銅などの導電性の高い金属薄板からなり、その上面に各ブリッジ駒１６がそれぞれ配置されるように構成されている。
【００６３】
すなわち、この導電板５６は、図７〜図９に示すように、ブリッジ駒１６に取り付けられたピックアップ部２６の一対の弦高調整ねじ２７の各下端が接触して導通する本体部５６ａと、本体部５６ａから絶縁板５５の所定個所、つまりブリッジ駒１６が対応しない個所に延出された配線部５６ｂとを有し、この配線部５６ｂが絶縁板５５の下面に設けられたコネクタ５７に接続されるように構成されている。
【００６４】
この場合、コネクタ５７は、６種類の信号とグランド（基準電位）とが通せるように構成されている。すなわち、このコネクタ５７は、図７〜図９に示すように、複数の導電板５６の各配線部５６ｂがそれぞれ接続され、この状態でブリッジベース１８に設けられた挿入孔１８ｄを通してブリッジベース１８の下側に突出し、この突出した部分に接続ケーブル５８が接続されるように構成されている。
【００６５】
これにより、複数の導電板５６は、図７〜図９に示すように、接続ケーブル５８によって電子回路部７と電気的に接続されることにより、ピックアップ部２６の一対の弦高調整ねじ２７で発生した圧力変化に応じた電気信号を電子回路部７に供給するように構成されている。この場合にも、ピックアップ部２６は、第１実施形態と同様、ピエゾ材料からなる一対の弦高調整ねじ２７によって構成されている。
【００６６】
これら一対の弦高調整ねじ２７は、図７〜図９に示すように、ブリッジ駒１６の弦支持部２４の各ねじ孔２４ａにそれぞれ螺合した状態で、その各下端部が導電板５６の本体部５６ａにそれぞれ押し付けられていることにより、振動や圧力が加わると、歪が生じて内部に電位差が発生し、その表面から電位差に応じた電気信号を出力するように構成されている。
【００６７】
この場合、一対の弦高調整ねじ２７は、図７〜図９に示すように、弦４が弾かれた際に、その弾かれた方向に位置する一方の弦高調整ねじ２７と、これと反対方向に位置する他方の弦高調整ねじ２７とで、歪が異なる。すなわち、一方の弦高調整ねじ２７の圧力が大きいと、他方の弦高調整ねじ２７の圧力が小さくなる。このため、ピックアップ部２６は、第１実施形態と同様、一対の弦高調整ねじ２７の各内部にそれぞれ発生する電位差が異なり、この異なる２つの電位差が混合され、この混合された電位差を電気信号として出力するように構成されている。
【００６８】
また、この場合にも、一対の弦高調整ねじ２７は、第１実施形態と同様、これらを回して各弦高調整ねじ２７の各下端部をブリッジ駒１６の下側に出没させてブリッジベース１８上に押し当てることにより、ブリッジベース１８上においてブリッジ駒１６を上下に変位させて弦４の弦高を調整するように構成されている。
【００６９】
また、オクターブ調整ねじ２８およびコイルばね３０は、第１実施形態と同様、それぞれ絶縁性を有する合成樹脂によって形成されている。これにより、ブリッジ駒１６は、一対の弦高調整ねじ２７、オクターブ調整ねじ２８、およびコイルばね３０によって、ブリッジベース１８の上方に浮いた状態で配置されるように構成されている。
【００７０】
一方、ブリッジ本体１５には、図７に示すように、複数の弦４の各一端部４ａが挿入する複数の弦取付孔３１が複数のブリッジ駒１６の各弦挿入孔２３ａにそれぞれ対応して設けられている。これら複数の弦取付孔３１内には、それぞれ複数の絶縁チューブ３３が配置されている。この場合、ブリッジ本体１５の弦取付孔３１は、上部が小径孔３１ａに形成され、下部が大径孔３１ｂに形成され、この小径孔３１ａと大径孔３１ｂとの境にテーパー部３１ｄがくびれた状態で形成されている。
【００７１】
絶縁チューブ３３は、第１実施形態と同様、塩化ビニル樹脂（ＰＶＣ）などの絶縁性を有する合成樹脂で形成されている。この絶縁チューブ３３は、ブリッジブロック１７の弦取付孔３１と同様、弦４が挿入する小径孔部３３ａと、エンドボール３２が挿入する大径孔部３３ｂとを有し、小径孔部３３ａと大径孔部３３ｂとの境にテーパ部３３ｄがくびれた状態で形成されている。
【００７２】
この場合にも、複数の弦４は、図７に示すように、その各一端部４ａにエンドボール３２が取り付けられた状態で、絶縁チューブ３３によってブリッジ部５のブリッジ本体１５に接触することがなく、ブリッジブロック１７の弦取付孔３１、ブリッジベース１８の弦挿入孔１８ｃ、絶縁板５５の弦挿入孔５５ａ、およびブリッジ駒１６の駒本体２３の弦挿入孔２３ａを通り、ブリッジ駒１６の弦支持部２４上に押し付けられた状態で、相互に導通することなく、張り渡されるように構成されている。
【００７３】
次に、このような電子ギターの作用について説明する。
この電子ギターで演奏する際には、アコースティックギターと同様、ネック３の指板１２に張り渡された複数の弦４を指で押えて複数のフレット１３のいずれかに押し付けながら、このフレット１３に対応する弦４を弾くことにより、第１実施形態と同様に演奏をすることができる。
【００７４】
このときには、楽音検出部４３のノーマルピックアップ部６によって複数の弦４の弦振動が検出されると共に、楽音検出部４３のピエゾ素子のピックアップ部２６によって押弦された複数の弦４の各振動による圧力変化がそれぞれ楽音情報として検出され、これらに基づいて楽音が発生される。
【００７５】
すなわち、ノーマルピックアップ部６は、フレット１３に押し付けられた複数の弦４がそれぞれ弾かれると、これらの弦４全体の振動を検出する。ピエゾ素子のピックアップ部２６は、フレット１３に押し付けられた複数の弦４がそれぞれ弾かれると、各一対の弦高調整ねじ２７が各弦４の各振動に伴う圧力変化をそれぞれ電気信号に変換して出力する。  
【００７６】
このときには、一対の弦高調整ねじ２７のうち、弦４が弾かれた方向に位置する一方の弦高調整ねじ２７と、これと反対方向に位置する他方の弦高調整ねじ２７とで、歪が異なる。このため、ピックアップ部２６は、第１実施形態と同様、一対の弦高調整ねじ２７の各内部にそれぞれ発生する電位差が異なり、この異なる２つの電位差が混合され、この混合された電位差を楽音情報として出力する。
【００７７】
そして、ノーマルピックアップ部６によって検出された楽音の音高および発音開始情報と、ピエゾ素子のピックアップ部２６によって検出された各弦振動による各弦４ごとの楽音情報とによって、ＣＰＵ４０が音源部４４に指令を与えて音源データを生成させ、この音源データに基づいてエフェクト部４５で楽音データを生成させてオーディオ機器に出力し、楽音を発生させる。このときにも、一対の弦高調整ねじ２７でそれぞれ異なる電位差が混合された電気信号がピックアップ部２６から出力されるので、出力信号が豊かになり、ギターのハーフトーンのような効果が得られる。
【００７８】
また、弦４に触れないように、ブリッジ駒１６の上に演奏者が手を置くようにすれば、第１実施形態と同様、一対の弦高調整ねじ２７が弦振動を拾いながらブリッジ駒１６の沈む方向のＤＣ信号を出力する。このため、弦振動による波形信号を音響用とし、ＤＣ信号を制御として用いることができる。これにより、ブリッジ駒１６に圧力を加えてリバーブ成分を増やしたり、フィルタのカットオフを変更したり、あるいはギターシンセサイザであれば音源のエンベロープを変更したりすることで、従来では考えられないギターの演奏が実現できる。
【００７９】
このように、この電子ギターによれば、第１実施形態と同様の効果があるほか、複数の弦４および複数のブリッジ駒１６がそれぞれ導電性を有し、複数のピックアップ部２６が、ブリッジ本体１５と複数のブリッジ駒１６との間に配置された絶縁板５５と、この絶縁板５５上に配置されて一対の弦高調整ねじ２７それぞれと導通する複数の導電板５６と、これら複数の導電板５６がそれぞれ接続されるコネクタ５７と、このコネクタ５７に接続された接続ケーブル５８とを備えているので、複数の弦４の各振動に伴う圧力変化に応じて各一対の弦高調整ねじ２７にそれぞれ生じた各電位差を楽音情報として正確にかつ確実に取り出すことができる。
【００８０】
すなわち、この電子ギターでは、第１実施形態と同様、ピックアップ部２６がピエゾ材料からなる一対の弦高調整ねじ２７を有し、これら一対の弦高調整ねじ２７がブリッジ駒１６の弦支持部２４の各ねじ孔２４ａにそれぞれ螺合した状態で、その各下端部が導電板５６の本体部５６ａに押し付けられていることにより、複数の弦４の各振動に伴う圧力変化に応じて各一対の弦高調整ねじ２７にそれぞれ生じた各電位差による電流を、各導電板５６およびコネクタ５７によって接続ケーブル５８に流すことができるので、複数の弦４の各振動に伴う圧力変化を楽音情報として正確にかつ確実に取り出すことができる。
【００８１】
この場合にも、第１実施形態と同様、一対の弦高調整ねじ２７は、弦４が弾かれた際に、その弾かれた方向に位置する一方の弦高調整ねじ２７と、これと反対方向に位置する他方の弦高調整ねじ２７とで、歪が異なり、各弦高調整ねじ２７の内部にそれぞれ発生する電位差が異なるため、この異なる２つの電位差が混合され、この混合された電位差が電気信号として出力されるので、この出力信号によって正確にかつ確実に楽音情報を検出して良好に演奏ができるほか、出力信号が豊富になり、ギターのハーフトーンのような効果を得ることができる。
【００８２】
（第３実施形態）
次に、図１０および図１１を参照して、この発明を電子ギターに適用した第３実施形態について説明する。この場合には、図７〜図９に示された第２実施形態と同一部分に同一符号を付して説明する。
この電子ギターは、図１０および図１１に示すように、ブリッジ部５のブリッジ本体１４と複数のブリッジ駒１５との間に配置された絶縁板５５上に一対の導電板６０、６１を複数のブリッジ駒１５にそれぞれ対応させて設けた構成であり、これ以外は第２実施形態と同じ構成になっている。
【００８３】
この場合にも、絶縁板５５は、第２実施形態と同様、ブリッジベース１８の上面にそのほぼ全域に亘って配置されている。この絶縁板５５にも、複数の弦挿入孔５５ａがブリッジベース１８の弦挿入孔１８ｃにそれぞれ対応して設けられている。一方、一対の導電板６０、６１は、銅などの導電性の高い金属薄板からなり、その上面にブリッジ駒１６が配置されるように構成されている。
【００８４】
これら一対の導電板６０、６１は、図１０および図１１に示すように、ブリッジ駒１６に取り付けられたピックアップ部２６の一対の弦高調整ねじ２７の各下端がそれぞれ個別に接触して導通する各本体部６０ａ、６１ａと、これら各本体部６０ａ、６１ａから絶縁板５５の所定個所、つまりブリッジ駒１６が対応しない個所に延出された各配線部６０ｂ、６１ｂとを有し、これら各配線部６０ｂ、６１ｂが絶縁板５５の下面に設けられたコネクタ６２に接続されるように構成されている。
【００８５】
この場合、一対の導電板６０、６１のうち、一方の導電板６０は、図１１に示すように、その各配線部６０ｂが絶縁板５５の上面に設けられてコネクタ６２に向けて延出され、この延出された先端部がスルーホール（図示せず）を通してコネクタ６２に接続されている。また、他方の導電板６１は、その各配線部６１ｂが絶縁板５５の上面からスルーホール（図示せず）を通して絶縁板５５の下面に導かれて絶縁板５５の下面に設けられ、この状態で先端部がコネクタ６２に接続されている。
【００８６】
この場合、コネクタ６２は、１２種類の信号とグランド（基準電位）とが通せるように構成されている。すなわち、このコネクタ６２は、図１０に示すように、複数の各一対の導電板６０、６１の各配線部６０ｂ、６１ｂがそれぞれ接続され、この状態で第２実施形態と同様、ブリッジベース１８に設けられた挿入孔１８ｄを通してブリッジベース１８の下側に突出し、この突出した部分に接続ケーブル（図示せず）が接続されるように構成されている。
【００８７】
これにより、複数のブリッジ駒１６にそれぞれ対応する各一対の導電板６０、６１は、図１１に示すように、コネクタ６２に接続された接続ケーブル（図示せず）によって電子回路部７と電気的に接続されることにより、ピックアップ部２６の一対の弦高調整ねじ２７で発生した圧力変化に応じた電気信号を電子回路部７に供給するように構成されている。この場合にも、ピックアップ部２６は、第１実施形態と同様、ピエゾ材料からなる一対の弦高調整ねじ２７によって構成されている。
【００８８】
すなわち、これら一対の弦高調整ねじ２７は、図１０および図１１に示すように、ブリッジ駒１６の弦支持部２４の各ねじ孔２４ａにそれぞれ螺合した状態で、その各下端部が一対の導電板６０、６１の各本体部６０ａ、６１ａにそれぞれ押し付けられていることにより、振動や圧力がそれぞれに加わると、それぞれ歪が生じて各内部に電位差が発生し、その各表面から電位差に応じた電気信号をそれぞれ出力するように構成されている。
【００８９】
この場合、一対の弦高調整ねじ２７は、図１０および図１１に示すように、弦４が弾かれた際に、その弾かれた方向に位置する一方の弦高調整ねじ２７と、これと反対方向に位置する他方の弦高調整ねじ２７とで、歪が異なるため、各弦高調整ねじ２７の内部にそれぞれ発生する電位差が異なり、この異なる２つの電位差が各導電板６０、６１の各配線部６０ｂ、６１ｂからそれぞれ電気信号として出力されるように構成されている。
【００９０】
このため、電子回路部７には、一対の弦高調整ねじ２７でそれぞれ発生した異なる２つの電位差がそれぞれ電気信号として供給される。これにより、電子回路部７は、異なる２つの電気信号の差を検出して、弦４の演奏方向を検出するように構成されている。この場合、電子回路部７は、２つの異なる電気信号を加算したり減算したりすることで、大きな音質の変化が生みだせるように構成されている。
【００９１】
例えば、２つの異なる電気信号を加算した場合には、基音成分が下がるが、倍音が比率的に増大し、クリアなジャズ、アコ―スティックサウンドなどに適した音が得られる。また、２つの異なる電気信号を減算した場合には、基音成分が倍増し、ディスト―ションに対して深い歪をもたらし、音程感が増し、ロックなどに適した音が得られる。
【００９２】
次に、このような電子ギターの作用について説明する。
この電子ギターで演奏する際には、アコースティックギターと同様、ネック３の指板１２に張り渡された複数の弦４を指で押えて複数のフレット１３のいずれかに押し付けながら、このフレット１３に対応する弦４を弾くことにより、第１実施形態と同様に演奏をすることができる。
【００９３】
このときには、楽音検出部４３のノーマルピックアップ部６によって複数の弦４の弦振動が検出されると共に、楽音検出部４３のピエゾ素子のピックアップ部２６によって押弦された複数の弦４の各振動による圧力変化がそれぞれ楽音情報として検出され、これらに基づいて楽音が発生される。すなわち、ノーマルピックアップ部６は、フレット１３に押し付けられた複数の弦４がそれぞれ弾かれると、これらの弦４全体の振動を検出する。
【００９４】
また、ピエゾ素子のピックアップ部２６は、フレット１３に押し付けられた複数の弦４がそれぞれ弾かれると、各一対の弦高調整ねじ２７が各弦４の各振動に伴う圧力変化をそれぞれ電気信号に変換して出力する。このときには、一対の弦高調整ねじ２７が弦４の振動に伴う圧力変化に応じて各内部に電位差が生じ、これらの電位差が楽音情報として出力される。
【００９５】
このときには、弦４が弾かれた際に、その弾かれた方向に位置する一方の弦高調整ねじ２７と、これと反対方向に位置する他方の弦高調整ねじ２７とで、歪が異なるため、各弦高調整ねじ２７の内部にそれぞれ発生する電位差が異なり、この異なる２つの電位差が各導電板６０、６１の各配線部６０ｂ、６１ｂからそれぞれ電気信号として出力される。
【００９６】
この出力された２つの異なる電気信号は、電子回路部７で２つの電気信号の差を検出して、弦４の演奏方向を検出すると共に、２つの異なる電気信号を加算したり減算したりすることで、大きな音質の変化が生みだす。例えば、２つの異なる電気信号を加算すると、基音成分が下がるが、倍音が比率的に増大し、クリアなジャズ、アコ―スティックサウンドなどに適した音が得られる。また、２つの異なる電気信号を減算すると、基音成分が倍増し、ディスト―ションに対して深い歪をもたらし、音程感が増し、ロックなどに適した音が得られる。
【００９７】
そして、ノーマルピックアップ部６によって検出された楽音の音高および発音開始情報と、ピエゾ素子のピックアップ部２６によって検出された各弦振動による各弦４ごとの楽音情報とによって、ＣＰＵ４０が音源部４４に指令を与えて音源データを生成させ、この音源データに基づいてエフェクト部４５で楽音データを生成させてオーディオ機器に出力し、楽音を発生させる。
【００９８】
このように、この電子ギターによれば、第２実施形態と同様の効果があるほか、複数の弦４および複数のブリッジ駒１６が導電性を有する金属で形成され、複数のピックアップ部２６が、ブリッジ本体１５と複数のブリッジ駒１６との間に配置された絶縁板５５と、この絶縁板５５上にそれぞれ配置されて各一対の弦高調整ねじ２７それぞれと個別に導通する各一対の導電板６０、６１と、これら各一対の導電板６０、６１がそれぞれ個別に接続されるコネクタ６２とを備えているので、複数の弦４の各振動に伴う圧力変化に応じて各一対の弦高調整ねじ２７にそれぞれ生じた各電位差を楽音情報として正確にかつ確実に取り出すことができる。
【００９９】
すなわち、この電子ギターでは、第２実施形態と同様、ピックアップ部２６がピエゾ材料からなる一対の弦高調整ねじ２７を有し、これら一対の弦高調整ねじ２７がブリッジ駒１６の弦支持部２４の各ねじ孔２４ａにそれぞれ螺合した状態で、その各下端部が一対の導電板６０、６１の各本体部６０ａ、６１ａにそれぞれ押し付けられていることにより、複数の弦４の各振動に伴う圧力変化に応じて各一対の弦高調整ねじ２７にそれぞれ生じた各電位差による電流を、各一対の導電板６０、６１およびコネクタ６２によって接続ケーブル（図示せず）に流すことができるので、複数の弦４の各振動に伴う圧力変化を楽音情報として正確にかつ確実に取り出すことができる。
【０１００】
この場合、一対の弦高調整ねじ２７は、弦４が弾かれた際に、その弾かれた方向に位置する一方の弦高調整ねじ２７と、これと反対方向に位置する他方の弦高調整ねじ２７とで、歪が異なるため、各弦高調整ねじ２７の内部にそれぞれ発生する電位差が異なり、この異なる２つの電位差を各導電板６０、６１の各配線部６０ｂ、６１ｂからそれぞれ電気信号として出力することができる。
【０１０１】
この出力された２つの異なる電気信号は、電子回路部７で２つの電気信号の差を検出して弦４の演奏方向を検出することができると共に、２つの異なる電気信号を加算したり減算したりすることで、大きな音質の変化を生みだすことができる。例えば、２つの異なる電気信号を加算すると、基音成分が下がっても、倍音が比率的に増大するので、クリアなジャズ、アコ―スティックサウンドなどに適した音を得ることができる。また、２つの異なる電気信号を減算すると、基音成分が倍増し、ディスト―ションに対して深い歪をもたらすことができるので、音程感が増し、ロックなどに適した音を得ることができる。
【０１０２】
なお、上述した第１〜第３の各実施形態では、ピックアップ部２６の各弦高調整ねじ２７をピエゾ素子の材料で単体に成型したものを用いた場合について述べたが、これに限らず、例えばピエゾ素子を板状に形成し、この板状のピエゾ素子を積層させ、この積層したものを切削加工により雄ねじ形状に形成したものであっても良い。
【０１０３】
また、上述した第１〜第３の各実施形態では、ピックアップ部２６の各弦高調整ねじ２７のすべてをピエゾ素子の材料で形成した場合について述べたが、これに限らず、例えば図１２に示す変形例のように、各弦高調整ねじ２７の一部をピエゾ素子の材料で形成した構成であっても良い。すなわち、各弦高調整ねじ２７の下部にピエゾ素子などの検出素子６５を設け、この検出素子６５を第１実施形態と同様にブリッジ本体１５に押し当てた構成であっても良い。
【０１０４】
また、これに限らず、各弦高調整ねじ２７の下部に設けられたピエゾ素子などの検出素子６５を第２、第３の各実施形態と同様に導電板５５または一対の導電板６０、６１に押し当てるように構成しても良い。このように、弦高調整ねじ２７の下部にピエゾ素子などの検出素子６５を設けた構成であっても、第１〜第３の各実施形態と同様の作用効果がある。
【０１０５】
さらに、上述した第１〜第３の各実施形態およびその各変形例では、ピックアップ部２６の一対の弦高調整ねじ２７の少なくとも一部にピエゾ素子などの検出素子６５を設けた場合について述べたが、必ずしもピエゾ素子などの検出素子６５である必要はなく、弦振動に伴う物理的変化を電気信号に変換して出力する検出素子を用いても良い。
【０１０６】
またさらに、上述した第１〜第３の各実施形態およびその各変形例においては、シンクロナイズドトレモロをモデルにしたギターを用いて説明した。これは一般的に用いられているもので、ブリッジが揺動自在となるメカニズムがついているが、この発明はこの構成に限定されるものでない。例えば、ばね部材２０、ピン部材２１を省略してブリッジベースをギター本体に直接ねじ止めする方式のテレキャスター型ギターに用いられるブリッジに、この発明を適用することも可能である。
【０１０７】
なおまた、上述した第１〜第３の各実施形態およびその各変形例では、電子ギターに適用した場合について述べたが、必ずしも電子ギターに適用する必要がなく、例えばマンドリン、ウクレレ、三味線などの各種の電子弦楽器に広く適用することができる。
【０１０８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０９】
（付記）
請求項１に記載の発明は、楽器本体と、この楽器本体上に張設される複数の弦と、前記楽器本体上に設けられ、前記複数の弦の各一端部が取り付けられるブリッジ本体と、このブリッジ本体上に前記複数の弦それぞれに対応して配置され、かつ前記複数の弦をそれぞれ支持する複数のブリッジ駒と、前記複数のブリッジ駒をそれぞれ前記ブリッジ本体上に変位可能に支持すると共に、前記複数の弦の各振動に伴って前記複数のブリッジ駒に加わる圧力変化をそれぞれ電気信号に変換して出力する複数の変換部と、を備えていることを特徴とする電子弦楽器である。
【０１１０】
請求項２に記載の発明は、請求項１に記載の電子弦楽器において、前記複数の変換部は、前記複数の弦の弦高をそれぞれ調整する各一対の弦高調整ねじを有し、前記複数の弦の各振動に伴う圧力変化をそれぞれ電気信号に変換して検出する検出素子を形成する材料によって、前記弦高調整ねじの少なくとも一部がそれぞれ形成されていることを特徴とする電子弦楽器である。
【０１１１】
請求項３に記載の発明は、請求項１または請求項２に記載の電子弦楽器において、前記複数の弦および前記ブリッジ駒はそれぞれ導電性を有し、前記複数の変換部は、前記ブリッジ本体にそれぞれ設けられた複数の弦取付孔内にそれぞれ配置された複数の絶縁チューブと、これら複数の絶縁チューブ内に挿入された前記複数の弦それぞれと導通する複数の導電部と、これら複数の導電部にそれぞれ接続された複数の接続ケーブルと、を備えていることを特徴とする電子弦楽器である。
【０１１２】
請求項４に記載の発明は、請求項２に記載の電子弦楽器において、前記複数の弦および前記複数のブリッジ駒はそれぞれ導電性を有し、前記複数の変換部は、前記ブリッジ本体と前記複数のブリッジ駒との間に配置された絶縁部材と、この絶縁部材上に配置されて前記一対の弦高調整ねじとそれぞれ導通する複数の導電板と、これら複数の導電板がそれぞれ接続されるコネクタ部と、このコネクタ部に接続された接続ケーブルと、を備えていることを特徴とする電子弦楽器である。
【０１１３】
請求項５に記載の発明は、請求項２に記載の電子弦楽器において、前記複数の弦および前記複数のブリッジ駒はそれぞれ導電性を有し、前記複数の変換部は、前記ブリッジ本体と前記複数のブリッジ駒との間に配置された絶縁部材と、この絶縁部材上にそれぞれ配置されて前記一対の弦高調整ねじとそれぞれ個別に導通する各一対の導電板と、これら各一対の導電板がそれぞれ個別に接続されるコネクタ部と、このコネクタ部に接続された接続ケーブルと、を備えていることを特徴とする電子弦楽器である。
【符号の説明】
【０１１４】
１  ギター本体
２  胴部
３  ネック
４  弦
５  ブリッジ部
１２  指板
１３  フレット
１５  ブリッジ本体
１６  ブリッジ駒
２６  ピックアップ部
２７  弦高調整ねじ
３１  弦挿入孔
３３  絶縁チューブ
３４  導電チューブ
３５、５８  接続ケーブル
５０  導電層
５５  絶縁板
５６、６０、６１  導電板
５７、６２  コネクタ
６５  検出素子
【図１】
2014206663.tif 000003
【図２】
2014206663.tif 000004
【図３】
2014206663.tif 000005
【図４】
2014206663.tif 000006
【図５】
2014206663.tif 000007
【図６】
2014206663.tif 000008
【図７】
2014206663.tif 000009
【図８】
2014206663.tif 000010
【図９】
2014206663.tif 000011
【図１０】
2014206663.tif 000012
【図１１】
2014206663.tif 000013
【図１２】
2014206663.tif 000014